【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
複数の通信装置と通信制御装置とをデイジーチェーン接続した通信システムであって、
前記通信制御装置は、
デイジーチェーンの下流側に接続する前記複数の通信装置に対し、制御データを送信する送信手段と、
前記複数の通信装置が送信した通信データを受信する受信手段と、を有し、
前記複数の各通信装置は、
デイジーチェーンの上流側からのコマンドデータを受信するコマンド受信手段と、
前記コマンド受信手段により受信したコマンドデータを、デイジーチェーンの下流側に送信するコマンド送信手段と、
前記コマンド送信手段によるコマンドデータの送信に同期して、下流側から通信データを受信する通信データ受信手段と、
上流側からのコマンドデータの受信又はコマンドデータにより指定されたタイミングに同期して、自通信装置の通信データと下流側から受信した通信データとを連続して上流側に送信する通信データ送信手段と、
を有することを特徴とする通信システム。
【請求項２】
前記コマンド送信手段は、自通信装置宛てのコマンドデータを削除又は無効コードに書き換えて送信することを特徴とする請求項１に記載の通信システム。
【請求項３】
前記コマンドデータには、遅延時間調整コードが含まれ、前記コマンド送信手段は、前記遅延時間調整コードの変更をしてから送信することを特徴とする請求項１に記載の通信システム。
【請求項４】
前記通信制御装置は、前記通信システムの構成を確認する確認手段を有し、
前記確認手段による確認結果に従った、各通信装置に対する動作遅延情報を前記コマンドデータに含めて生成する生成手段を有することを特徴とする請求項１又は請求項２に記載の通信システム。
【請求項５】
複数の通信装置と通信制御装置とをデイジーチェーン接続した通信システムであって、
前記通信制御装置は、
デイジーチェーンの下流側に接続する前記複数の通信装置に対し、コマンドデータを送信する送信手段と、
前記複数の通信装置が送信した通信データを受信する受信手段と、を有し、
前記通信装置は、
自通信装置が前記デイジーチェーン接続の終端に位置するか否かを判定する判定手段と、
自通信装置が前記デイジーチェーン接続の終端に位置する場合は、上流側からのコマンドデータの受信又はコマンドデータにより指定されたタイミングに同期して、自通信装置の通信データを上流側に送信し、自通信装置が前記デイジーチェーン接続の終端に位置しない場合は、下流側からの通信データの受信に同期して、自通信装置の通信データと下流側から受信した通信データとを連続して上流側に送信する通信データ送信手段と、
を有することを特徴とする通信システム。
【請求項６】
他の通信装置とデイジーチェーン接続する通信装置であって、
デイジーチェーンの上流側からのコマンドデータを受信するコマンド受信手段と、
前記コマンド受信手段により受信したコマンドデータを、デイジーチェーンの下流側に送信するコマンド送信手段と、
前記コマンド送信手段によるコマンドデータの送信に同期して、下流側から通信データを受信する通信データ受信手段と、
上流側からのコマンドデータの受信又はコマンドデータにより指定されたタイミングに同期して、自通信装置の通信データと下流側から受信した通信データとを連続して上流側に送信する通信データ送信手段と、
を有することを特徴とする通信装置。
【請求項７】
前記コマンド送信手段は、自通信装置宛てのコマンドデータを削除又は無効コードに書き換えて送信することを特徴とする請求項６に記載の通信装置。
【請求項８】
前記コマンドデータには、遅延時間調整コードが含まれ、前記コマンド送信手段は、前記遅延時間調整コードの変更をしてから送信することを特徴とする請求項６に記載の通信装置。
【請求項９】
他の通信装置とデイジーチェーン接続する通信装置であって、
自通信装置が前記デイジーチェーン接続の終端に位置するか否かを判定する判定手段と、
自通信装置が前記デイジーチェーン接続の終端に位置する場合は、上流側からのコマンドデータの受信又はコマンドデータにより指定されたタイミングに同期して、自通信装置の通信データを上流側に送信し、自通信装置が前記デイジーチェーン接続の終端に位置しない場合は、下流側からの通信データの受信に同期して、自通信装置の通信データと下流側から受信した通信データとを連続して上流側に送信する通信データ送信手段と、
を有することを特徴とする通信装置。
【請求項１０】
複数の通信装置と通信制御装置とをデイジーチェーン接続した通信システムの通信方法であって、
前記複数の各通信装置は、
デイジーチェーンの上流側からのコマンドデータを受信するコマンド受信工程と、
前記コマンド受信工程にいて受信したコマンドデータを、デイジーチェーンの下流側に送信するコマンド送信工程と、
前記コマンド送信工程におけるコマンドデータの送信に同期して、下流側から通信データを受信する通信データ受信工程と、
上流側からのコマンドデータの受信又はコマンドデータにより指定されたタイミングに同期して、自通信装置の通信データと下流側から受信した通信データとを連続して上流側に送信する通信データ送信工程と、
を有することを特徴とする通信システムの通信方法。
【請求項１１】
複数の通信装置と通信制御装置とをデイジーチェーン接続した通信システムの通信方法であって、
前記通信装置は、
自通信装置が前記デイジーチェーン接続の終端に位置するか否かを判定する判定工程と、
自通信装置が前記デイジーチェーン接続の終端に位置する場合は、上流側からのコマンドデータの受信又はコマンドデータにより指定されたタイミングに同期して、自通信装置の通信データを上流側に送信し、自通信装置が前記デイジーチェーン接続の終端に位置しない場合は、下流側からの通信データの受信に同期して、自通信装置の通信データと下流側から受信した通信データとを連続して上流側に送信する通信データ送信工程と、
を有することを特徴とする通信システムの通信方法。
【請求項１２】
請求項１０又は請求項１１に記載の通信方法を、コンピュータに実行させるためのプログラム。
【請求項１３】
請求項１２に記載のプログラムを記録したコンピュータ読み取り可能な記録媒体。
【手続補正２】
【補正対象書類名】明細書
【補正対象項目名】００１０
【補正方法】変更
【補正の内容】
【００１０】
本発明の通信システムは、複数の通信装置と通信制御装置とをデイジーチェーン接続した通信システムであって、前記通信制御装置は、デイジーチェーンの下流側に接続する前記複数の通信装置に対し、制御データを送信する送信手段と、前記複数の通信装置が送信した通信データを受信する受信手段と、を有し、前記複数の各通信装置は、デイジーチェーンの上流側からのコマンドデータを受信するコマンド受信手段と、前記コマンド受信手段により受信したコマンドデータを、デイジーチェーンの下流側に送信するコマンド送信手段と、前記コマンド送信手段によるコマンドデータの送信に同期して、下流側から通信データを受信する通信データ受信手段と、上流側からのコマンドデータの受信又はコマンドデータにより指定されたタイミングに同期して、自通信装置の通信データと下流側から受信した通信データとを連続して上流側に送信する通信データ送信手段と、を有することを特徴とする。